(57)【要約】【課題】  乗客コンベアのトラスを構成する部材の許容強度を超える圧縮力がトラスに作用した場合、トラスの特定の箇所を座屈させること。【解決手段】  建築物の下階床と上階床との間に配置されて、下階床と上階床とを連結するための枠体と、枠体の長手方向一端に固定されて、下階床の一部に支持される下階枠体支持アングルと、枠体の長手方向他端に固定されて、上階床の一部に支持される上階枠体支持アングルと、枠体の長手方向に沿って移動可能に配置される複数の踏板とを含み、枠体を構成する複数の部材のうち少なくとも下階床と水平な下部側水平部又は上階床と水平な上部側水平部の領域に存在する補強部材は、下部側水平部と上部側水平部との間の領域に存在する補強部材よりも、枠体の長手方向に作用する圧縮力に対する強度が低い部材で構成される。【選択図】図１
2016175740.tif 000002
【特許請求の範囲】
【請求項１】
建築物の下階床と上階床との間に配置されて、前記下階床と前記上階床とを連結するための枠体と、前記枠体の長手方向一端に固定されて、前記下階床の一部に支持される下階枠体支持アングルと、前記枠体の長手方向他端に固定されて、前記上階床の一部に支持される上階枠体支持アングルと、前記枠体の長手方向に沿って移動可能に配置される複数の踏板とを含む乗客コンベアであって、
前記枠体を構成する複数の部材のうち少なくとも前記下階床と水平な下部側水平部又は前記上階床と水平な上部側水平部の領域に存在する補強部材は、前記下部側水平部と前記上部側水平部との間の領域に存在する補強部材よりも、前記枠体の長手方向に作用する圧縮力に対する強度が低い部材で構成されてなることを特徴とする乗客コンベア。
【請求項２】
請求項１において、
前記枠体は、
前記下階床から前記上階床に亘って配置される上弦材と、前記上弦材と相対向して配置される下弦材と、前記上弦材と前記下弦材に対して交差する方向に配置されて、前記上弦材と前記下弦材とを連結する縦材と、前記上弦材と前記下弦材に対して斜め方向に配置されて、前記上弦材と前記下弦材とを連結する斜め材とから構成され、
前記下部側水平部又は前記上部側水平部の領域に存在する縦材又は斜め材のうち少なくとも一方は、切込みを有する補強部材として構成されてなることを特徴とする乗客コンベア。
【請求項３】
請求項２に記載の乗客コンベアにおいて、
前記切込みを有する補強部材は、
Ｌ鋼又は平鋼あるいはＵ字鋼あるいはＨ型鋼で構成されてなることを特徴とする乗客コンベア。
【発明の詳細な説明】
【技術分野】
【０００１】
本発明は、乗客を輸送するエスカレーターや電動道路等の乗客コンベアに関する。
【背景技術】
【０００２】
本技術の背景技術として、特開２００８−１９５４７０号公報（特許文献１）がある。この公報には、耐震性を向上するために、上屈曲部及び下屈曲部を含む上水平区間及び下水平区間に夫々側枠の高さ方向に延材して設けられた上補強板及び下補強板を備えた乗客コンベアの案が記載されている。
【先行技術文献】
【特許文献】
【０００３】
【特許文献１】特開２００８−１９５４７０号公報
【発明の概要】
【発明が解決しようとする課題】
【０００４】
上記特許文献１には、乗客コンベアの上水平区間及び下水平区間に上補強板及び下補強板を設けることで、圧縮力や引張力に強い乗客コンベアが得られることが記載されている。しかし、乗客コンベアを補強するにも限界があり、特に、既に建築物に設置している乗客コンベアでは、乗客コンベアと建築物の隙間が不足しているケースがある。この際、乗客コンベアを構成する部材の許容強度を超える圧縮力が生じるような大規模地震が発生することを考慮して、乗客コンベアを補強することは困難である。
【０００５】
本発明の目的は、乗客コンベアのトラスを構成する部材の許容強度を超える圧縮力がトラスに作用した場合、トラスの特定の箇所を座屈させることにある。
【課題を解決するための手段】
【０００６】
前記課題を解決するために、本発明は、建築物の下階床と上階床との間に配置されて、前記下階床と前記上階床とを連結するための枠体と、前記枠体の長手方向一端に固定されて、前記下階床の一部に支持される下階枠体支持アングルと、前記枠体の長手方向他端に固定されて、前記上階床の一部に支持される上階枠体支持アングルと、前記枠体の長手方向に沿って移動可能に配置される複数の踏板とを含む乗客コンベアであって、前記枠体を構成する複数の部材のうち少なくとも前記下階床と水平な下部側水平部又は前記上階床と水平な上部側水平部の領域に存在する補強部材は、前記下部側水平部と前記上部側水平部との間の領域に存在する補強部材よりも、前記枠体の長手方向に作用する圧縮力に対する強度が低い部材で構成されることを特徴とする。
【発明の効果】
【０００７】
本発明によれば、乗客コンベアのトラスを構成する部材の許容強度を超える圧縮力がトラスに作用した場合、トラスの特定の箇所を座屈させることができる。
【図面の簡単な説明】
【０００８】
【図１】乗客コンベアの一実施例を示す要部断面側面図である。
【図２】枠体支持アングルとアングル受部との関係を示す要部断面図である。
【図３】枠体の要部拡大図である。
【図４】斜め材の断面図である。
【図５】切込みを有する斜め材の断面図である。
【発明を実施するための形態】
【０００９】
以下、実施例について図面を用いて説明する。
【実施例１】
【００１０】
図１は、乗客コンベアの一実施例を示す要部断面側面図である。図１において、乗客コンベア１は、建屋（建築物）の一方の床（下階床）２と他方の床（上階床）３との間に配置されて、下階床２と上階床３とを連結するための枠体４と、枠体４の長手方向一端に固定されて、下階床２の一部に支持される枠体支持アングル５と、枠体４の長手方向他端に固定されて、上階床３の一部に支持される上階枠体支持アングル６と、下階床２に、凹部として形成されて、下階枠体支持アングル５を支持する下階アングル受部７と、上階床３に、凹部として形成されて、上階枠体支持アングル６を支持する上階アングル受部８と、枠体４内に収納され、無端状に連結されて乗降口間を循環する(枠体４の長手方向に沿って移動する)複数の踏板９と、各踏板９と同一方向に移動する手摺１０を支持する複数の欄干１１と、を備えて構成される。各欄干１１は、枠体４に取り付けられて、踏板９の進行方向両側方に立設される。
【００１１】
図２は、枠体支持アングルとアングル受部との関係を示す要部断面図である。図２において、下階枠体支持アングル５と、下階アングル受部７との間には、枠体４の鉛直方向の高さを調整するために、高さ調整プレート１２が設置されている。なお、上階枠体支持アングル６と、上階アングル受部８との間にも高さ調整プレート１２を設置することができる。
【００１２】
図３は、枠体の要部拡大図である。図３において、枠体４は、下階床２から上階床３に亘って配置される上弦材１３と、上弦材１３と相対向して配置される下弦材１４と、上弦材１３と下弦材１４に対して直交（交差）する方向に配置されて、上弦材１３と下弦材１４とを連結する縦材１５と、上弦材１３と下弦材１４に対して斜め方向に配置されて、上弦材１３と下弦材１４とを連結する斜め材１６とから構成される。上弦材１３と下弦材１４は、主弦材として構成される。縦材１５と斜め材１６は、上弦材１３と下弦材１４とを連結する連結材を構成すると共に、補強部材として構成される。枠体４を構成する複数の部材のうち、枠体４の上部側水平部４Ａ又は下部側水平部４Ｂの領域に存在する補強部材は、他の領域に存在する補強部材よりも強度の低い部材で構成される。
【００１３】
図４は、斜め材の断面図である。図４において、斜め材１６は、片１６Ａと片１６Ｂとが一体となって構成され、全体として、その断面形状がＬ型となるＬ鋼で構成される。
【００１４】
図５は、切込みを有する斜め材の断面図である。図５において、片１６Ａと片１６Ｂとが一体となって構成され斜め材１６のうち、片１６Ｂには、少なくともその一部に切込み１６Ｃが形成されている。この際、片１６Ａの一部が、上弦材１３又は下弦材１４に溶接で固定される。この場合、枠体４を構成する部材として、切込み１６Ｃを有する斜め材１６を用いると、切込み１６Ｃが無い斜め材１６を用いたときよりも、枠体４の強度が低下することになる。即ち、枠体４に、その長手方向の圧縮力が作用した場合、枠体４のうち切込み１６Ｃを有する斜め材１６の箇所が、他の箇所よりも座屈し易くなる。なお、縦材１５の一方の片の少なくともその一部に切込みを形成することもできる。この場合、枠体４のうち切込み１６Ｃを有する斜め材１６又は切込みを有する縦材１５の箇所が、他の箇所よりも座屈し易くなる。
【００１５】
本実施例において、乗客コンベア１のトラスを構成する枠体４には、補強部材として、例えば、縦材１５、斜め材１６が取り付けられており、枠体４にその長手方向から許容強度以下の圧縮力が作用しても枠体４が座屈することはない。しかし、大規模地震によって、枠体４を構成する部材の許容強度を超える圧縮力（枠体４の長手方向に作用する圧縮力）が枠体４に作用した場合、枠体４が座屈することが想定される。特に、既に建築物に設置している乗客コンベア１であって、乗客コンベア１と建築物の隙間が不足している場合、トラスを構成する部材の許容強度を超える圧縮力が枠体４に作用し、枠体４が座屈することが想定される。
【００１６】
この際、枠体４のうち、枠体４の上部側水平部４Ａと下部側水平部４Ｂとの間の領域（傾斜部）に存在する部材が座屈して壊れると、修復が困難である。そこで、本実施例では、枠体４の上部側水平部４Ａと下部側水平部４Ｂとの間の領域（傾斜部）に存在する補強部材には、強度の高い部材として、切込みが無い縦材１５と斜め材１６を用い、枠体４の上部側水平部４Ａと下部側水平部４のうち少なくとも一方の領域に存在する補強部材には、強度の低い部材として、切込み１６Ｃを有する斜め材１６や切込みを有する縦材１５を用い、トラスを構成する部材の許容強度を超える圧縮力が枠体４に作用した場合、枠体４の上部側水平部４Ａと下部側水平部４のうち少なくとも一方の領域に存在する補強部材を座屈させ、修復を容易にする構成が採用されている。
【００１７】
このため、トラスを構成する部材の許容強度を超える圧縮力が枠体４に作用した場合、枠体４の上部側水平部４Ａと下部側水平部４のうち少なくとも一方の領域に存在する補強部材（切込み１６Ｃを有する斜め材１６や切込みを有する縦材１５）が座屈して変形しても、乗客の安全を確保することができる。この際、枠体４の上部側水平部４Ａと下部側水平部４のうち少なくとも一方の領域に存在する補強材が座屈して変形しても、主弦材（上弦材１３や下弦材１４）が座屈することなく、補強部材としての縦材１５又は斜め材１６が座屈して変形するので、補強部材のみを修復することで、修復作業を容易に行うことができる。
【００１８】
本実施例によれば、大規模地震が発生し、トラスを構成する部材の許容強度を超える圧縮力が枠体４に作用した場合でも、乗客の安全に支障の無い箇所（トラスの特定の箇所）から座屈することを促すことができ、結果として、枠体４の上部側水平部４Ａと下部側水平部４のうち少なくとも一方の領域（トラスの特定の箇所）に存在する補強材（切込みを有する縦材１５又は斜め材１６のうち少なくとも一方）が座屈して変形しても、これら補強材の修復を容易に行うことができる。
【００１９】
なお、既に建築物に設置している乗客コンベア１に対しては、枠体４の上部側水平部４Ａと下部側水平部４のうち少なくとも一方の領域に存在する補強材を、切込みを有する縦材１５又は斜め材１６と交換することで、本発明を適用することができる。
【００２０】
また、本発明は上記した実施例に限定されるものではなく、様々な変形例が含まれる。例えば、縦材１５や斜め材１６として、少なくともその一部に切込みを有するＵ字鋼やＨ型鋼や平鋼を用いることができる。また、実施例の構成の一部について、他の構成の追加・削除・置換をすることが可能である。
【符号の説明】
【００２１】
１  乗客コンベア、２  下階床、３  上階床、４  枠体、５  下階枠体支持アングル、６  上階枠体支持アングル、７  下階アングル受部、８  上階アングル受部、９  踏板、１０  手摺、１１  欄干、１２  高さ調整プレート、１３  上弦材、１４  下弦材、１５  縦材、１６  斜め材、１６Ａ、１６Ｂ  片、１６Ｃ  切込み。
【図１】
2016175740.tif 000003
【図２】
2016175740.tif 000004
【図３】
2016175740.tif 000005
【図４】
2016175740.tif 000006
【図５】
2016175740.tif 000007